(57)【特許請求の範囲】
【請求項１】
基地局によるワイヤレス通信の方法であって、
フレーム中の１つまたは複数のアンカーサブフレームおよび１つまたは複数の非アンカーサブフレームを識別することと、
複数のユーザ機器（ＵＥ）と通信するために使用される前記フレームのアップリンク／ダウンリンク構成を動的に変更することと、
前記フレームの前記１つまたは複数のアンカーサブフレームのうちの少なくとも１つ中の前記複数のＵＥによって解釈されることが可能な共通ダウンリンク制御チャネルを使用して、前記変更された構成をシグナリングすることと、
を備え、
１つまたは複数のフレームへの前記変更された構成の適用は、前記フレーム内の前記共通ダウンリンク制御チャネルの送信のロケーションの関数である、
方法。
【請求項２】
前記共通ダウンリンク制御チャネルのサイズは、レガシーロングタームエボリューション（ＬＴＥ）ダウンリンク制御情報（ＤＣＩ）フォーマットのために定義されたサイズと同じである、請求項１に記載の方法。
【請求項３】
前記共通ダウンリンク制御チャネルのサイズがダウンリンクシステム帯域幅に依存しない、請求項１に記載の方法。
【請求項４】
前記共通ダウンリンク制御チャネルに固有の無線ネットワーク一時識別子（ＲＮＴＩ）によって前記共通ダウンリンク制御チャネルの巡回冗長検査（ＣＲＣ）コードをスクランブルすることをさらに備える、請求項１に記載の方法。
【請求項５】
同じ物理セル識別情報（ＰＣＩ）のセルのための２つまたはそれ以上のＲＮＴＩ値を構成することをさらに備え、前記複数のＵＥの各々は、前記２つまたはそれ以上のＲＮＴＩ値のうちの１つのみを監視するように指示される、請求項１に記載の方法。
【請求項６】
前記シグナリングすることは、前記フレームの前記１つまたは複数のアンカーサブフレームのサブセット中のみで前記共通ダウンリンク制御チャネルを送信することを備える、請求項１に記載の方法。
【請求項７】
前記シグナリングすることは、前記フレームの前記１つまたは複数のアンカーサブフレーム中で、別の後続のフレームのためのアップリンク／ダウンリンク構成を指示するための前記共通ダウンリンク制御チャネルを送信することを備える、請求項１に記載の方法。
【請求項８】
前記共通ダウンリンク制御チャネルを搬送するように構成されたサブフレームのセットの明示的シグナリングにより前記複数のＵＥのうちの少なくとも１つのＵＥに指示することをさらに備える、請求項１に記載の方法。
【請求項９】
各ＵＥのための前記共通ダウンリンク制御チャネルを搬送するためのサブフレームのセットを、前記ＵＥの間欠受信（ＤＲＸ）に基づき、少なくとも１つのサブフレームがＤＲＸオン持続時間中に前記ダウンリンク制御チャネルを搬送するように、決定することをさらに備える、請求項１に記載の方法。
【請求項１０】
前記シグナリングすることは、少なくとも２つのダウンリンクアンカーサブフレーム中で前記共通ダウンリンク制御チャネルを送信することを備える、請求項１に記載の方法。
【請求項１１】
前記共通ダウンリンク制御チャネルは、前記変更された構成が適用されるべき持続時間についての情報を備える、請求項１に記載の方法。
【請求項１２】
前記持続時間は１つまたは複数のフレーム長を備える、請求項１１に記載の方法。
【請求項１３】
前記共通ダウンリンク制御チャネルが前記フレームの第１の部分中で送信される場合、前記変更された構成が前記フレームに適用される、請求項１に記載の方法。
【請求項１４】
前記共通ダウンリンク制御チャネルが前記フレームの第２の部分中で送信される場合、前記変更された構成が後続のフレームに適用される、請求項１に記載の方法。
【請求項１５】
ユーザ機器（ＵＥ）によるワイヤレス通信の方法であって、
少なくとも前記ＵＥとの通信のために使用されるサブフレームの変更されたアップリンク／ダウンリンク構成を指示する共通ダウンリンク制御チャネルを求めて、フレームの１つまたは複数のアンカーサブフレームを監視することと、
後続の通信において使用するサブフレームの前記変更されたアップリンク／ダウンリンク構成を決定するために前記共通ダウンリンク制御チャネルを復号することと、
前記フレーム内の前記共通ダウンリンク制御チャネルの受信のロケーションの関数として前記変更された構成を適用するための１つまたは複数のフレームを決定すること、
を備える方法。
【請求項１６】
前記共通ダウンリンク制御チャネルのサイズは、レガシーロングタームエボリューション（ＬＴＥ）ダウンリンク制御情報（ＤＣＩ）フォーマットのために定義されたサイズと同じである、請求項１５に記載の方法。
【請求項１７】
前記共通ダウンリンク制御チャネルのサイズはダウンリンクシステム帯域幅に依存しない、請求項１５に記載の方法。
【請求項１８】
前記共通ダウンリンク制御チャネルの巡回冗長検査（ＣＲＣ）コードは、前記共通ダウンリンク制御チャネルに固有の無線ネットワーク一時識別子（ＲＮＴＩ）によってスクランブルされる、請求項１５に記載の方法。
【請求項１９】
前記変更されたアップリンク／ダウンリンク構成の前記指示は、前記フレームの１つまたは複数のアンカーサブフレームのサブセット中にのみ前記共通ダウンリンク制御チャネルを備える、請求項１５に記載の方法。
【請求項２０】
前記変更されたアップリンク／ダウンリンク構成の前記指示は、前記フレームの前記１つまたは複数のアンカーサブフレーム中の、別の後続のフレームのための前記アップリンク／ダウンリンク構成を指示する前記共通ダウンリンク制御チャネルを備える、請求項１５に記載の方法。
【請求項２１】
前記共通ダウンリンク制御チャネルを搬送するように構成されたサブフレームのセットの明示的シグナリングにより指示を受信することをさらに備える、請求項１５に記載の方法。
【請求項２２】
各ＵＥのための前記共通ダウンリンク制御チャネルを搬送するサブフレームのセットは、少なくとも１つのサブフレームが間欠受信（ＤＲＸ）オン持続時間中に前記ダウンリンク制御チャネルを搬送するように、前記ＵＥのＤＲＸ動作に基づく、請求項１５に記載の方法。
【請求項２３】
前記共通ダウンリンク制御チャネルが前記フレームの第１の部分中で送信される場合、前記変更された構成が前記フレームに適用される、請求項１５に記載の方法。
【請求項２４】
前記共通ダウンリンク制御チャネルが前記フレームの第２の部分中で送信される場合、前記変更された構成が後続のフレームに適用される、請求項１５に記載の方法。
【請求項２５】
前記共通ダウンリンク制御チャネルに基づいて前記変更された構成が適用されるべき持続時間を決定することをさらに備える、請求項１５に記載の方法。
【請求項２６】
前記変更されたアップリンク／ダウンリンク構成の前記指示は、少なくとも２つのダウンリンクアンカーサブフレーム中の前記共通ダウンリンク制御チャネルを備える、請求項１５に記載の方法。
【請求項２７】
基地局によるワイヤレス通信の装置であって、
フレーム中の１つまたは複数のアンカーサブフレームおよび１つまたは複数の非アンカーサブフレームを識別するための手段と、
複数のユーザ機器（ＵＥ）と通信するために使用される前記フレームのアップリンク／ダウンリンク構成を動的に変更するための手段と、
前記フレームの前記１つまたは複数のアンカーサブフレームのうちの少なくとも１つ中の前記複数のＵＥによって解釈されることが可能な共通ダウンリンク制御チャネルを使用して、前記変更された構成をシグナリングするための手段と、
を備え、
１つまたは複数のフレームへの前記変更された構成の適用は、前記フレーム内の前記共通ダウンリンク制御チャネルの送信のロケーションの関数である、
装置。
【請求項２８】
ユーザ機器（ＵＥ）によるワイヤレス通信の装置であって、
少なくとも前記ＵＥとの通信のために使用されるサブフレームの変更されたアップリンク／ダウンリンク構成を指示する共通ダウンリンク制御チャネルを求めて、フレームの１つまたは複数のアンカーサブフレームを監視するための手段と、
後続の通信において使用するサブフレームの前記変更されたアップリンク／ダウンリンク構成を決定するために前記共通ダウンリンク制御チャネルを復号するための手段と、
前記フレーム内の前記共通ダウンリンク制御チャネルの送信のロケーションの関数として前記変更された構成を適用するための１つまたは複数のフレームを決定するための手段と、
を備える装置。
【発明の詳細な説明】
【優先権の主張】
【０００１】
米国特許法第１１９条に基づく優先権の主張
本特許出願は、本出願の譲受人に譲渡され、参照により本明細書に明確に組み込まれる、２０１３年７月２９日に出願された、「DYNAMIC INDICATION OF TIME DIVISION (TDD) DUPLEX UPLINK/DOWNLINK SUBFRAME CONFIGURATIONS」と題する、ＰＣＴ出願第ＰＣＴ／ＣＮ２０１３／０８０３３０号、および２０１３年８月９日に出願された、「DYNAMIC INDICATION OF TIME DIVISION (TDD) DUPLEX UPLINK/DOWNLINK SUBFRAME CONFIGURATIONS」と題する、ＰＣＴ出願第ＰＣＴ／ＣＮ２０１３／０８１１８８号の優先権を主張する。
【技術分野】
【０００２】
本開示は、一般にワイヤレス通信に関し、より詳細には、時分割複信（ＴＤＤ：Time Division Duplex）アップリンク（ＵＬ）／ダウンリンク（ＤＬ）サブフレーム構成の動的指示のための方法および装置に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥ／ＬＴＥアドバンスト（LTE（登録商標）-Advanced）は、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥ／ＬＴＥアドバンストは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示のいくつかの態様は、基地局によるワイヤレス通信のための方法を提供する。本方法は、概して、フレーム中の１つまたは複数のアンカーサブフレームおよび１つまたは複数の非アンカーサブフレームを識別することと、複数のユーザ機器（ＵＥ）と通信するために使用されるフレームのアップリンク／ダウンリンク構成を動的に変更することと、フレームの１つまたは複数のアンカーサブフレームのうちの少なくとも１つ中の当該複数のＵＥによって解釈されることが可能な共通ダウンリンク制御チャネルを使用して、変更された構成をシグナリングすることとを含む。
【０００６】
[0006]本開示のいくつかの態様は、ユーザ機器によるワイヤレス通信のための方法を提供する。本方法は、概して、少なくともＵＥとの通信のために使用されるサブフレームの変更されたアップリンク／ダウンリンク構成を指示する共通ダウンリンク制御チャネルのためのフレームの１つまたは複数のアンカーサブフレームを監視することと、後続の通信において使用するサブフレームの変更されたアップリンク／ダウンリンク構成を決定するために共通ダウンリンク制御チャネルを復号することとを含む。
【０００７】
[0007]本開示のいくつかの態様は、基地局によるワイヤレス通信のための装置を提供する。本装置は、概して、フレーム中の１つまたは複数のアンカーサブフレームおよび１つまたは複数の非アンカーサブフレームを識別するための手段と、複数のユーザ機器（ＵＥ）と通信するために使用されるフレームのアップリンク／ダウンリンク構成を動的に変更するための手段と、フレームの１つまたは複数のアンカーサブフレームのうちの少なくとも１つ中の当該複数のＵＥによって解釈されることが可能な共通ダウンリンク制御チャネルを使用して変更された構成をシグナリングするための手段とを含む。
【０００８】
[0008]本開示のいくつかの態様は、ユーザ機器によるワイヤレス通信のための装置を提供する。本装置は、概して、少なくともＵＥとの通信のために使用されるサブフレームの変更されたアップリンク／ダウンリンク構成を指示する共通ダウンリンク制御チャネルのためのフレームの１つまたは複数のアンカーサブフレームを監視するための手段と、後続の通信において使用するサブフレームの変更されたアップリンク／ダウンリンク構成を決定するために共通ダウンリンク制御チャネルを復号するための手段とを含む。
【０００９】
[0009]態様は、概して、添付の図面に関して本明細書で実質的に説明し、添付の図面によって示されるように、方法、装置、システム、コンピュータプログラム製品、および処理システムを含む。「ＬＴＥ」は、概して、ＬＴＥおよびＬＴＥアドバンスト（ＬＴＥ−Ａ）を指す。
【図面の簡単な説明】
【００１０】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】本開示のいくつかの態様による、アクセスネットワーク中の発展型ノードＢおよびユーザ機器の一例を示す図。
【図７】アップリンク／ダウンリンクサブフレーム構成のリストを示す図。
【図８】例示的なサブフレームフレームフォーマットを示す図。
【図９】基準アップリンク／ダウンリンクサブフレーム構成の例示的な使用を示す図。
【図１０】本開示の態様による、共通ＰＤＣＣＨの例示的な送信を示す図。
【図１１】本開示の態様による、異なるセル中の異なるロケーションにおける共通ＰＤＣＣＨの例示的な送信を示す図。
【図１２】本開示の態様による、たとえば、ＴＤＤ  ＵＬ／ＤＬサブフレーム構成の動的指示のための基地局（ＢＳ）によって実行される例示的な動作を示す図。
【図１３】本開示の態様による、たとえば、ＴＤＤ  ＵＬ／ＤＬサブフレーム構成の動的指示のためのユーザ機器（ＵＥ）によって実行される例示的な動作を示す図。
【発明を実施するための形態】
【００１１】
[0023]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１２】
[0024]次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、ハードウェア、ソフトウェア、またはそれらの組合せを使用して実装され得る。そのような要素がハードウェアとして実装されるか、ソフトウェアとして実装されるかは、特定の適用例および全体的なシステムに課される設計制約に依存する。
【００１３】
[0025]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ファームウェア、ルーチン、サブルーチン、オブジェクト、実行ファイル、実行スレッド、プロシージャ、関数などを意味すると広く解釈されたい。
【００１４】
[0026]したがって、１つまたは複数の例示的な実施形態では、説明する機能は、ハードウェア、ソフトウェア、またはそれらの組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＰＣＭ（相変化メモリ）、フラッシュメモリ、ＣＤ−ＲＯＭまたは他の光ディスクストレージ、磁気ディスクストレージ、または他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は通常、データを磁気的に再生し、ディスク（disc）は、データをレーザーで光学的に再生する。上記の組合せもコンピュータ可読媒体の範囲内に含まれるべきである。
【００１５】
[0027]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示されていない。例示的な他のアクセスネットワークは、ＩＰマルチメディアサブシステム（ＩＭＳ：IP Multimedia Subsystem）ＰＤＮ、インターネットＰＤＮ、管理ＰＤＮ（たとえば、プロビジョニングＰＤＮ）、キャリア固有のＰＤＮ、事業者固有のＰＤＮ、および／またはＧＰＳ  ＰＤＮを含み得る。図示のように、ＥＰＳはパケット交換サービスを提供するが、当業者なら容易に諒解するように、本開示全体にわたって提示する様々な概念は、回線交換サービスを提供するネットワークに拡張され得る。
【００１６】
[0028]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（たとえば、バックホール）を介して他のｅＮＢ１０８に接続され得る。ｅＮＢ１０６は、基地局、トランシーバ基地局、無線基地局、無線トランシーバ、トランシーバ機能、基本サービスセット（ＢＳＳ：basic service set）、拡張サービスセット（ＥＳＳ：extended service set）、アクセスポイント、または何らかの他の好適な用語で呼ばれることもある。ｅＮＢ１０６は、ＵＥ１０２にＥＰＣ１１０へのアクセスポイントを与え得る。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、ネットブック、スマートブック、ウルトラブック、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１７】
[0029]ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、たとえば、インターネット、イントラネット、ＩＰマルチメディアサブシステム（ＩＭＳ）、およびＰＳ（パケット交換）ストリーミングサービス（ＰＳＳ：PS Streaming Service）を含み得る。このようにして、ＵＥ１０２は、ＬＴＥネットワークを通してＰＤＮに結合され得る。
【００１８】
[0030]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、リモートラジオヘッド（ＲＲＨ：remote radio head）と呼ばれることがある。より低い電力クラスのｅＮＢ２０８は、フェムトセル（たとえば、ホームｅＮＢ（ＨｅＮＢ））、ピコセル、またはマイクロセルであり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例では集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ネットワーク２００はまた、１つまたは複数のリレー（図示せず）を含み得る。一適用例によれば、ＵＥはリレーとして働き得る。
【００１９】
[0031]アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ）の両方をサポートするために、ＯＦＤＭがＤＬ上で使用され、ＳＣ−ＦＤＭＡがＵＬ上で使用される。当業者が以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課される全体的な設計制約に依存することになる。
【００２０】
[0032]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（たとえば、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、各空間的にプリコーディングされたデータストリームのソースを識別することが可能になる。
【００２１】
[0033]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２２】
[0034]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトラム拡散（spread-spectrum）技法である。サブキャリアは正確な周波数で離間される。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２３】
[0035]図３は、ＬＴＥにおけるＤＬフレーム構造の一例を示す図３００である。フレーム（１０ｍｓ）は、０〜９のインデックスをもつ等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続するサブキャリアを含んでおり、各ＯＦＤＭシンボル中のノーマルサイクリックプレフィックスについて、時間領域中に７個の連続するＯＦＤＭシンボル、または８４個のリソース要素を含んでいる。拡張サイクリックプレフィックスについて、リソースブロックは、時間領域中に６個の連続するＯＦＤＭシンボルを含んでおり、７２個のリソース要素を有する。Ｒ３０２、Ｒ３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２４】
[0036]ＬＴＥでは、ｅＮＢは、ｅＮＢ中の各セルについて１次同期信号（ＰＳＳ：primary synchronization signal）と２次同期信号（ＳＳＳ：secondary synchronization signal）とを送り得る。１次同期信号および２次同期信号は、それぞれ、ノーマルサイクリックプレフィックス（ＣＰ：cyclic prefix）をもつ各無線フレームのサブフレーム０および５の各々中のシンボル期間６および５において送られ得る。同期信号は、セル検出および収集のためにＵＥによって使用され得る。ｅＮＢは、サブフレーム０のスロット１中のシンボル期間０〜３において物理ブロードキャストチャネル（ＰＢＣＨ：Physical Broadcast Channel）を送り得る。ＰＢＣＨはあるシステム情報を搬送し得る。
【００２５】
[0037]ｅＮＢは、各サブフレームの第１のシンボル期間において物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ただし、Ｍは、１、２または３に等しくなり得、サブフレームごとに変化し得る。Ｍはまた、たとえば、リソースブロックが１０個未満である、小さいシステム帯域幅では４に等しくなり得る。ｅＮＢは、各サブフレームの最初のＭ個のシンボル期間において物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間において物理ダウンリンク共有チャネル（ＰＤＳＣＨ）を送り得る。ＰＤＳＣＨは、ダウンリンク上でのデータ送信のためにスケジュールされたＵＥのためのデータを搬送し得る。
【００２６】
[0038]ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、これらのチャネルが送られる各シンボル期間においてシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００２７】
[0039]各シンボル期間においていくつかのリソース要素が利用可能であり得る。各リソース要素（ＲＥ：resource element）は、１つのシンボル期間において１つのサブキャリアをカバーし得、実数値または複素数値であり得る１つの変調シンボルを送るために使用され得る。各シンボル期間において基準信号のために使用されないリソース要素は、リソース要素グループ（ＲＥＧ：resource element group）に構成され得る。各ＲＥＧは、１つのシンボル期間中に４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨのための３つのＲＥＧは、すべてシンボル期間０に属し得るか、またはシンボル期間０、１、および２に拡散され得る。ＰＤＣＣＨは、たとえば、最初のＭ個のシンボル期間において、利用可能なＲＥＧから選択され得る、９、１８、３６、または７２個のＲＥＧを占有し得る。ＲＥＧのいくつかの組合せのみがＰＤＣＣＨに対して可能にされ得る。本方法および装置の態様において、サブフレームは、２つ以上のＰＤＣＣＨを含み得る。
【００２８】
[0040]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索すべき組合せの数は、一般に、ＰＤＣＣＨに対して可能にされる組合せの数よりも少ない。ｅＮＢは、ＵＥが探索することになる組合せのいずれかにおいてＵＥにＰＤＣＣＨを送り得る。
【００２９】
[0041]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００３０】
[0042]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００３１】
[0043]初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥはフレーム（１０ｍｓ）ごとに単一のＰＲＡＣＨ試みのみを行うことができる。
【００３２】
[0044]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００３３】
[0045]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３４】
[0046]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００３５】
[0047]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００３６】
[0048]図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいて、ヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３７】
[0049]ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。コーディングされ、変調されたシンボルは、次いで、並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００３８】
[0050]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６はＬ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで、高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３９】
[0051]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、制御／プロセッサ６５９は、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上のすべてのプロトコルレイヤを表す、データシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００４０】
[0052]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅＮＢ６１０へのシグナリングとを担当する。
【００４１】
[0053]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４２】
[0054]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００４３】
[0055]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、制御／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットは、コアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。コントローラ／プロセッサ６７５、６５９は、それぞれ、ｅＮＢ６１０における動作およびＵＥ６５０における動作を指示し得る。ＵＥ６５０におけるコントローラ／プロセッサ６５９ならびに／あるいは他のプロセッサおよびモジュールは、動作、たとえば、図１３の動作１３００および／または、たとえば、本明細書で説明する技法のための他のプロセスを実行または指示し得る。ｅＮＢ６１０におけるコントローラ／プロセッサ６７５ならびに／あるいは他のプロセッサおよびモジュールは、動作、たとえば、図１２の動作１２００および／または、たとえば、本明細書で説明する技法のための他のプロセスを実行または指示し得る。態様では、例示的な動作１２００および１３００ならびに／または本明細書で説明する技法のための他のプロセスを実行するために、図６に示された構成要素のいずれかのうちの１つまたは複数が採用され得る。
トラフィック適応のための発展型干渉管理（ＥＩＭＴＡ）
[0056]ＬＴＥネットワークなど、いくつかのワイヤレス通信ネットワークにおいて、周波数分割複信（ＦＤＤ）と（ＴＤＤ）フレーム構造の両方がサポートされる。ＴＤＤの場合、図７に示されているように、７つの可能なＤＬおよびＵＬサブフレーム構成がサポートされる。２つの切替え周期性、５ｍｓおよび１０ｍｓがあることが留意され得る。図８に示されているように、５ｍｓの場合、１つのフレーム（１０ｍｓ）中に２つのスペシャルサブフレームがある。１０ｍｓの場合、１つのフレーム中に１つのスペシャルサブフレームがある。本方法および装置は、より大きいまたはより小さい数のサブフレーム構成がサポートされるときに採用され得る。
【００４４】
[0057]ＬＴＥ  Ｒｅｌ−１２では、トラフィック適応のための発展型干渉管理（ｅＩＭＴＡ：evolved interference management for traffic adaptation）としても知られている、実際のトラフィックの必要に基づいてＴＤＤ  ＤＬ／ＵＬサブフレーム構成を動的に適応させることが可能である。たとえば、短い持続時間中に、ダウンリンク上で大きいデータバーストが必要とされる場合、サブフレーム構成は、たとえば、構成＃１（６ＤＬ：４ＵＬ）から構成＃５（９ＤＬ：１ＵＬ）に変更され得る。場合によっては、ＴＤＤ構成の適応は６４０ｍｓよりも遅くならないことが予想される。極端な場合、適応は１０ｍｓのように速くなることが予想され得るが、これは望ましくないことがある。
【００４５】
[0058]いくつかの態様では、適応は、しかしながら、２つまたはそれ以上のセルが異なるダウンリンクおよびアップリンクサブフレームを有するとき、ダウンリンクとアップリンクの両方への圧倒的干渉を生じ得る。さらに、適応は、ＤＬおよびＵＬ  ＨＡＲＱタイミング管理におけるいくらかの複雑さを生じ得る。いくつかの態様では、７つのＤＬ／ＵＬサブフレーム構成の各々がそれ自体のＤＬ／ＵＬ  ＨＡＲＱタイミングを有する。ＤＬ／ＵＬ  ＨＡＲＱタイミングは、（たとえば、ＨＡＲＱ動作効率に関して）構成ごとに最適化される。たとえば、ＰＤＳＣＨから対応するＡＣＫ／ＮＡＫへのタイミングは、（たとえば、ＡＣＫ／ＮＡＫを送るための次の利用可能なアップリンクサブフレームがいつ生じるかに応じて）異なるＴＤＤ  ＤＬ／ＵＬサブフレーム構成について異なり得る。
【００４６】
[0059]７つの構成（または、よりフレキシブルな適応が必要と見なされる場合、さらにより多くの構成）間の動的切替えは、現在のＤＬ／ＵＬ  ＨＡＲＱタイミングが保たれる場合、ＤＬまたはＵＬ送信のうちのいくつかについて失われたＡＣＫ／ＮＡＫ送信機会があり得ることを暗示する。
【００４７】
[0060]いくつかの態様では、トラフィック適応を用いた拡張（または発展型）干渉緩和（ｅＩＭＴＡ：enhanced (or evolved) interference mitigation with traffic adaptation）のための動作を簡略化するために、多くの物理レイヤ動作のための基準として単一のＤＬ／ＵＬ構成を定義することが可能である。たとえば、ＤＬ  ＨＡＲＱ動作は、フレーム（または１／２フレーム）において使用中の実際のＤＬ／ＵＬサブフレーム構成にかかわらず、ＤＬ／ＵＬサブフレーム構成＃５に基づき得る。
【００４８】
[0061]すなわち、動的ＤＬ／ＵＬサブフレーム構成が使用可能(enabled)である場合、ＤＬ  ＨＡＲＱタイミングは常に９：１ＤＬ／ＵＬサブフレーム構成に基づき得る。同様に、ＵＬ  ＨＡＲＱ動作は、フレーム（または１／２フレーム）において使用中の実際のＤＬ／ＵＬサブフレーム構成にかかわらず、たとえば、ＤＬ／ＵＬサブフレーム構成＃０に基づき得る。すなわち、動的ＤＬ／ＵＬサブフレーム構成が使用可能である場合、ＵＬ  ＨＡＲＱタイミングは、図９に示されているように、常に４：６ＤＬ／ＵＬサブフレーム構成に基づき得る。
【００４９】
[0062]図９に示されているように、サブフレームの実際の使用はｅＮＢスケジューリングに制約され得る。たとえば、サブフレーム３／４／５／７／８／９はＤＬサブフレームまたはＵＬサブフレームのいずれかであり得、サブフレーム６はＤＬサブフレームまたはスペシャルサブフレームのいずれかであり得る。
共通（ｅ）ＰＤＣＣＨがＴＤＤ  ＤＬ／ＵＬサブフレーム構成を動的に指示することを可能にすること
[0063]本開示の態様は、ＵＥへのＴＤＤ  ＵＬ／ＤＬサブフレーム構成の動的指示のための技法について説明する。いくつかの態様では、１つまたは複数のＵＥにＴＤＤ  ＤＬ／ＵＬ構成を指示するために、複数のＵＥによって解釈されることが可能な共通ＰＤＣＣＨまたはｅＰＤＣＣＨ（拡張ＰＤＣＣＨ：enhanced PDCCH）が使用され得る。
【００５０】
[0064]いくつかの態様では、共通ＰＤＣＣＨ（またはｅＰＤＣＣＨ）は、一般に、複数のＵＥに対して共通であるＤＣＩ（ダウンリンク制御情報：Downlink Control Information）を搬送する共通探索空間に関連する。一態様では、各ＰＤＣＣＨは、１つのＤＣＩを搬送し、ＤＣＩのＣＲＣアタッチメント中に暗黙的に符号化されたＲＮＴＩ（無線ネットワーク一時識別子：Radio Network Temporary Identifier）によって識別される。
【００５１】
[0065]いくつかの態様では、ＴＤＤ  ＤＬ／ＵＬサブフレーム構成の動的指示が、ＲＲＣ＿ＣＯＮＮＥＣＴＥＤ状態にあるＵＥのみについて予想される。したがって、いくつかの態様では、共通ＰＤＣＣＨを介した動的指示が、共通ＲＮＴＩ、たとえば、ＤＴＣ（動的ＴＤＤ  ＤＬ／ＵＬ構成：Dynamic TDD DL/UL configuration）−ＲＮＴＩを介して使用可能にされ得る。一態様では、１６ビットＤＴＣ−ＲＮＴＩの選択は、Ｃ−ＲＮＴＩ（セル−ＲＮＴＩ）と同じルールおよびＰ−ＲＮＴＩ、ＳＩ−ＲＮＴＩ、ＲＡ−ＲＮＴＩ、ＴＰＣ  ＲＮＴＩなどによって使用されるＲＮＴＩを回避することに従い得る。一態様では、対応するＰＤＣＣＨ  ＣＲＣ（巡回冗長検査：Cyclic Redundancy Check）がＤＴＣ−ＲＮＴＩによってスクランブルされ得る。
【００５２】
[0066]いくつかの態様では、共通ＰＤＣＣＨのサイズは、既存のＤＣＩフォーマットに一致し得るか、または新しいフォーマットであり得る。たとえば、共通ＰＤＣＣＨのサイズは、小さいかまたはＤＣＩフォーマット１Ｃのサイズと同様であり得る。一態様では、共通ＰＤＣＣＨは、１．４ＭＨｚまたは６−ＲＢシステム帯域幅の下でＤＣＩフォーマット１Ｃとその同じサイズである合計２４ビットの場合、構成を指示する３ビット、予約済みの５ビット、１６ビットＣＲＣを含み得る。一態様では、共通ＰＤＣＣＨのサイズは帯域幅非依存であり得る。以下では、共通ＰＤＣＣＨのためのＤＣＩフォーマットをＤＣＩフォーマット５と呼ぶ。
【００５３】
[0067]本開示の態様は、アンカーサブフレームベースの設計を対象とする。再び図７のＴＤＤ構成を参照すると、すべてのサブフレームのうちの４つのサブフレーム（すなわち、サブフレーム０、１、２および５）がそろえられている（aligned）。さらに、サブフレーム６では、ダウンリンク送信が部分的にそろえられている（aligned）。そろっているサブフレーム（すなわち、構成にわたって変化しないサブフレーム）はアンカーサブフレームと呼ばれることもある。したがって、アンカーサブフレームはサブフレーム０、１、２および５を含み得る。さらに、サブフレーム６は、ダウンリンク送信が部分的にそろえられるので、アンカーサブフレームと見なされ得る。そろっていないサブフレーム（すなわち、異なる構成にわたって変化するサブフレーム）は非アンカーサブフレームと呼ばれることがある。
【００５４】
[0068]いくつかの態様では、適応ＴＤＤ構成はアンカーサブフレームに基づいて改善され得る。いくつかの態様では、共通ＰＤＣＣＨは、ＤＬアンカーサブフレーム中でのみ搬送され得るが、すべてのＤＬアンカーサブフレーム中で搬送される必要があるとは限らない。
【００５５】
[0069]いくつかの態様では、ＴＤＤ  ＤＬ／ＵＬサブフレーム構成を示す共通ＰＤＣＣＨは、ｅＮＢとＵＥの両方が新しい構成に反応することを可能にするためにフレームの早いサブフレーム中で、またはさらにより早い、たとえば前のフレーム中でさえ送信され得る。たとえば、共通ＰＤＣＣＨを復号し、ＴＤＤ  ＵＬ／ＤＬサブフレーム構成を決定するのに十分な時間をＵＥに与えるために。図１０は、フレームｎのＴＤＤ  ＤＬ／ＵＬサブフレーム構成を指示するフレームｎ−１のサブフレーム５中の共通ＰＤＣＣＨの送信を示す。
【００５６】
[0070]いくつかの態様では、ＵＥがＤＣＩフォーマット５を監視するためのサブフレームのセットが、事前決定されるか、またはシグナリング（たとえば、ブロードキャストまたはユニキャスト）によって指示され得る。たとえば、すべてのフレームのサブフレーム５が、共通ＰＤＣＣＨを搬送するためにあらかじめ決定され得る。一態様では、ＳＩＢのうちの１つが、どのサブフレーム／フレームがＤＣＩフォーマット５を搬送するかを指示し得る。一態様では、どのサブフレーム／フレームがＤＣＩフォーマット５を搬送するかを指示するために、専用シグナリングが使用され得る。いくつかの態様では、同じサブフレーム構成指示が複数のサブフレーム中で送信され得る。ＵＥは、ＵＥのためのｅＮＢ制御負荷分散（eNB control load balancing）および間欠受信（ＤＲＸ：discontinuous reception）動作を可能にするために、同じＴＤＤ  ＤＬ／ＵＬサブフレーム構成指示のための複数のサブフレームを監視し得る。たとえば、ＵＥは、サブフレーム５とサブフレーム６の両方中の共通ＰＤＣＣＨを監視し得る。
【００５７】
[0071]いくつかの態様では、異なるＵＥが異なるＤＲＸ動作を有し得る。たとえば、ＤＲＸ動作がサブフレーム固有であることにより、ＵＥ１はサブフレーム５を監視し得、別のＵＥ２は６を監視し得る。したがって、一態様では、ＵＥがＤＣＩフォーマット５を監視するためのサブフレームのセットは、それのＤＲＸ動作と結合され得る。これは、たとえば、ある持続時間中にＤＣＩフォーマット５を搬送する少なくとも１つのサブフレームがあることを保証し得る。一態様では、ＵＥは、特に、長いＤＲＸ中、オン持続時間の前にＤＣＩフォーマット５を監視するために事前起動する必要があり得る。一態様では、ＵＥが共通ＰＤＣＣＨを検出することができない場合、ＵＥはレガシーまたは基準構成にフォールバック（fall back）し得る。
【００５８】
[0072]いくつかの態様では、ｅＮＢは、信頼性を増加させるために少なくとも２つのＤＬアンカーサブフレーム中で共通ＰＤＣＣＨを送信することを考慮し得る。ＵＥ観点から、ＵＥは、少なくとも２つのＤＬサブフレーム中の共通ＰＤＣＣＨを監視し得、また、より多くの時間ダイバーシティのためのジョイント復号（ＰＤＣＣＨのためのＴＴＩバンドリング）のために２つのＤＬサブフレームを組み合わせ得る。たとえば、１つのサブフレーム中の１つのレベル４  ＰＤＣＣＨ送信と比較して、２つのサブフレーム中に２つのレベル２  ＰＤＣＣＨ送信があり得る。
【００５９】
[0073]一態様では、共通ＰＤＣＣＨの信頼性が電力制御によってさらに増加させられ得る。
【００６０】
[0074]いくつかの態様では、使用可能サブフレームのセットに対する制限があり得る。たとえば、いくつかのサブフレームは、ＵＬまたはＤＬ上で干渉を経験し得、したがって、ｅＮＢは、いくつかのサブフレームのみ（たとえば、（１つまたは複数の）干渉セルがオールモストブランク（almost blank）サブフレームで構成されているとき、サブフレーム）を使用し得る。その結果、使用のためのサブフレームのセットは制限され得る。したがって、一態様では、共通ＰＤＣＣＨの時間ロケーションは異なるセルについて異なり得る。たとえば、図１１に示されているように、共通ＰＤＣＣＨを送信するために、セル１はサブフレーム５を使用し、セル２はサブフレーム６を使用する。
【００６１】
[0075]いくつかの態様では、ブラインド復号では、共通ＰＤＣＣＨがそこで送信されるサブフレームにおいて、ＵＥはＤＣＩフォーマット１Ｃを復号する必要がないことがある。一態様では、元はＤＣＩフォーマット１Ｃのために監視された復号候補のセットがＤＣＩフォーマット５のために使用され、したがってＤＣＩフォーマット５と同じ数のブラインド復号を維持し得る。それゆえに、新しいＤＣＩフォーマットは、ＵＥがいくつかのサブフレームを監視するためにＤＣＩフォーマット１Ｃと入れ替わり得る。その結果、監視すべきＤＣＩサイズの数の増加がない。
【００６２】
[0076]いくつかの態様では、同じ数の最大数のブラインド復号を維持するために、ＤＣＩフォーマット５のための復号候補の数はＤＣＩフォーマット１Ｃと同じでなければならない。しかしながら、ＤＣＩフォーマット５のためのアグリゲーションレベルのセットは、ＤＣＩフォーマット５に適応するために（一般に、レベル４のための４つの復号候補およびレベル８のための２つの復号候補、合計６つの復号候補を有する）ＤＣＩフォーマット１Ｃのそれとは異なるように修正され得る。一態様では、モチベーションは、２４ビットのペイロードサイズの場合、２つのＣＣＥ（または７２個のＲＥ）が、スモールセルコンテキストを特に考慮する場合の大部分をカバーするのに十分であるべき２４／２（ＱＰＳＫ）／７２＝１／６のコーディングレートを生じることである。アグリゲーションレベルの例示的なセットが、アグリゲーションレベル｛１、２、４、８｝についてそれぞれ｛１、２、２、１｝であり、すなわち、ＤＣＩフォーマット５のための元のアグリゲーションレベル｛１、２、４、８｝を依然としてサポートすることができるが、同じ復号候補を維持するために、アグリゲーションレベル｛１、２、４、８｝についてアグリゲーションレベル｛１、２、２、１｝が使用され得る。
【００６３】
[0077]ＤＣＩフォーマット１Ｃの場合、共通探索空間は常にＣＣＥ０から開始する。一態様では、ＤＣＩフォーマット５の場合も、共通探索空間はＣＣＥ０で開始し得る。しかし、このことは、それが共通探索空間送信と衝突し得るので限定的であり得る。すなわち、ＤＣＩフォーマット５の場合、各アグリゲーションレベルの開始ＣＣＥは、同じアグリゲーションレベルについて同じ共通探索空間であり、他の新しいアグリゲーションレベルについて共通探索空間内にあるが、それが共通探索空間関係動作（たとえば、ページング、ＲＡＲ応答、システム情報ブロードキャストなど）と衝突し得ることを仮定すれば、限定的であり得る。その結果、この問題に対処するために２つの代替形態が設計され得る。
【００６４】
[0078]第１の代替形態では、開始ＣＣＥがＲＲＣシグナリングを介して構成され得る。ＲＲＣ構成はアグリゲーションレベル依存および／またはサブフレーム依存であり得る。ＲＲＣ構成は、セルのすべてのＵＥに共通であるか、またはセルのＵＥのグループに共通であり得るが、セルのＵＥの異なるグループ（２つまたはそれ以上のグループ）について異なり得る。
【００６５】
[0079]第２の代替形態では、開始ＣＣＥは、Ｃ−ＲＮＴＩと同様のＤＴＣ−ＲＮＴＩに基づいて導出され得る。この手法は単純であると同時に有効である。さらなる簡略化が可能であり得、たとえば、すべてのアグリゲーションレベルのための開始ＣＣＥが同じであり得る（たとえば、レベル８に基づき得る）。
【００６６】
[0080]いくつかの態様では、ＴＤＤ  ＵＬ／ＤＬサブフレーム構成の動的指示がｅＰＤＣＣＨを介してサポートされ得る。一態様では、共通ＰＤＣＣＨのための前の説明は、いくつかの相違があるが、大部分がｅＰＤＣＣＨに適用され得る。たとえば、分散ｅＰＤＣＣＨが、好ましくは、共通ＥＰＤＣＣＨ  ＤＣＩフォーマット５のために使用され得る。一態様では、ＵＥが２つのｅＰＤＣＣＨリソースセットで構成された場合、共通ＥＰＤＣＣＨが１つのリソースセット中に位置することで十分である。いくつかの態様では、ＵＥが（１つまたは複数の）局所ｅＰＤＣＣＨリソースセットのみで構成された場合、動的指示がある局所ｅＰＤＣＣＨを介して搬送され得る。
【００６７】
[0081]いくつかの態様では、ＵＥは、ＴＤＤサブフレーム構成の動的指示のための共通ＰＤＣＣＨまたは共通ｅＰＤＣＣＨのうちの１つのみを監視し得る。代替的に、ＵＥは、ＵＥが異なるサブフレーム上のＰＤＣＣＨおよびｅＰＤＣＣＨを監視するように構成された場合、ＴＤＤサブフレーム構成の動的指示のための共通ＰＤＣＣＨまたは共通ｅＰＤＣＣＨの両方を監視し得る。
【００６８】
[0082]いくつかの態様では、ＤＣＩフォーマット５がＤＣＩフォーマット１Ｃと入れ替わると仮定される場合、いくつかのサブフレーム中のＤＣＩフォーマット１Ｃの損失によりページング機会が低減される懸念があり得る。いくつかの態様では、ＵＥが、同じサブフレーム中のＤＣＩフォーマット５とＤＣＩフォーマット１Ｃの両方を監視することを可能にされ得る。一態様では、ＤＣＩフォーマット５のサイズは、ＤＣＩフォーマット１Ｃのサイズと同じであるか、またはそれとは異なり得る。同じサイズの場合、１Ｃを５と区別するためにペイロードの内部のいくつかのビットが使用され得る。しかしながら、フォーマット５およびフォーマット１Ｃのサイズが異なる場合、同じ数のブラインド復号を維持するために（またはブラインド復号の総数を最小限に抑えるために）、ＵＥがモニタするために１つのサブフレーム中の１Ｃと５との間での復号候補の分割が考慮され得る。たとえば、５のための３つの復号候補（２つのレベル２および１つのレベル４）、ならびにＤＣＩフォーマット１Ｃのための３つの復号候補（２つのレベル４および１つのレベル８）。一態様では、２つのフォーマット間の復号候補の不均一な分割もあり得る。
【００６９】
[0083]ＣｏＭＰシナリオ４では、マクロセルおよびそれの関連するスモールセルが同じＰＣＩを有し得る。その結果、ＤＣＩフォーマット５のための探索空間がＰＣＩのみに依存する場合、ＤＣＩフォーマット５のための探索空間が衝突することがある。したがって、一態様では、同じＰＣＩのマクロセルとそれの関連するスモールセルとについてのＤＣＩフォーマット５の区別がサポートされるべきである。一態様では、これは、たとえば、異なる開始ＣＣＥまたはＥＣＣＥを構成することによる、マクロおよびスモールセルのための重複しないＤＣＩフォーマット５探索空間によって達成され得る。代替態様では、同じ探索空間が使用され得るが、各ＤＣＩフォーマット内に、（たとえば、各ＴＰＣ＿ｉｎｄｅｘが特定のＵＥに対応する、ＤＣＩ３／３Ａベースのグループ電力制御と同様の）同じＰＣＩの同じクラスタ内のスモールセルを識別するインデックスが含まれ得る。一態様では、ＵＥはさらに、インデックスとスモールセルとの間のマッピングを指示され得る。
【００７０】
[0084]いくつかの態様では、ＤＴＣ−ＲＮＴＩが、同じＰＣＩの異なるスモールセルのために別様に構成され得る。すなわち、同じＰＣＩについて、ＵＥが、２つまたはそれ以上のＤＴＣ−ＲＮＴＩを監視する必要があり得る。２つまたはそれ以上のＤＴＣ−ＲＮＴＩのための対応する探索空間は、同じであるかまたは（たとえば、各個々のＤＴＣ−ＲＮＴＩに基づいて）別個に定義され得る。
【００７１】
[0085]いくつかの態様では、共通ＰＤＣＣＨまたは共通ｅＰＤＣＣＨはさらに、ＴＤＤ  ＤＬ／ＵＬサブフレーム構成が適用されるべき１つまたは複数のフレームを識別する情報フィールドを搬送し得る。一例として、情報フィールドは、２ビット情報フィールドであり得、ＴＤＤ  ＤＬ／ＵＬサブフレーム構成が現在フレーム（Ｎ）、次のフレーム（Ｎ＋１）、フレームＮ＋２、またはフレームＮ＋３のうちの１つに適用されるべきであることを指示し、ここで、現在フレームＮは、共通ＰＤＣＣＨまたは共通ｅＰＤＣＣＨがそこで送信されるフレームである。
【００７２】
[0086]いくつかの態様では、共通ＰＤＣＣＨまたは共通ｅＰＤＣＣＨはさらに、ＴＤＤ  ＤＬ／ＵＬサブフレーム構成が適用されるべき持続時間を識別する情報フィールドを搬送し得る。一例として、情報フィールドは、２ビット情報フィールドであり得、ＴＤＤ  ＤＬ／ＵＬサブフレーム構成が、現在フレーム（Ｎ）から開始する１、２、４または８フレームのうちの１つに適用されるべきであることを指示し得、ここで、現在フレームＮは、共通ＰＤＣＣＨまたは共通ｅＰＤＣＣＨがそこで送信されるフレームである。
【００７３】
[0087]いくつかの態様では、共通ＰＤＣＣＨまたは共通ｅＰＤＣＣＨ中で搬送されるＴＤＤ  ＤＬ／ＵＬサブフレーム構成の適用可能性は、ＰＤＣＣＨまたはｅＰＤＣＣＨがそこで送信されるフレーム中のサブフレームインデックスに依存する。一例として、ＰＤＣＣＨまたはｅＰＤＣＣＨがフレームの前半（すなわち、サブフレーム０〜４）中で送信される場合、制御チャネル中のＴＤＤ  ＤＬ／ＵＬサブフレーム構成は現在フレームに適用可能であり、ＰＤＣＣＨまたはｅＰＤＣＣＨがフレームの後半（すなわち、サブフレーム５〜９）中で送信される場合、制御チャネル中のＴＤＤ  ＤＬ／ＵＬサブフレーム構成は次のフレームに適用可能である。
【００７４】
[0088]図１２に、本開示の態様による、たとえば、ＴＤＤ  ＵＬ／ＤＬサブフレーム構成の動的指示のための基地局（ＢＳ）によって実行される例示的な動作１２００を示す。動作１２００は、１２０２において、フレーム中の１つまたは複数のアンカーサブフレームおよび１つまたは複数の非アンカーサブフレームを識別することによって開始し得る。１２０４において、ＢＳは、複数のＵＥと通信するために使用されるフレームのアップリンク／ダウンリンク構成を動的に変更する。１２０６において、ＢＳは、フレームの１つまたは複数のアンカーサブフレームのうちの少なくとも１つ中の複数のＵＥによって解釈されることが可能な共通ダウンリンク制御チャネルを使用して、変更された構成をシグナリングする。
【００７５】
[0089]いくつかの態様では、共通ダウンリンク制御チャネルのサイズは、レガシーＬＴＥ  ＤＣＩフォーマットのために定義されたサイズと同じであり得る。一態様では、レガシーＬＴＥ  ＤＣＩフォーマットはＤＣＩフォーマット１Ｃを含み得る。いくつかの態様では、共通ダウンリンク制御チャネルのサイズはダウンリンクシステム帯域幅に依存しないことがある。
【００７６】
[0090]いくつかの態様では、基地局は、共通ダウンリンク制御チャネルのＣＲＣコードを共通ダウンリンク制御チャネルに固有のＲＮＴＩによってスクランブルし得る。いくつかの態様では、基地局は、同じ物理セル識別情報（ＰＣＩ：physical cell identity）のセルのための２つまたはそれ以上のＲＮＴＩ値を構成し得、ここにおいて、複数のＵＥの各々が、２つまたはそれ以上のＲＮＴＩ値のうちの１つのみを監視するように指示される。
【００７７】
[0091]いくつかの態様では、変更された構成のシグナリングは、フレームの１つまたは複数のアンカーサブフレームのサブセット中のみで共通ダウンリンク制御チャネルを送信することを含み得る。
【００７８】
[0092]いくつかの態様では、変更された構成のシグナリングは、別の後続のフレームのためのアップリンク／ダウンリンク構成を指示するためのフレームの１つまたは複数のアンカーサブフレーム中で共通ダウンリンク制御チャネルを送信することを含み備え得る。
【００７９】
[0093]いくつかの態様では、基地局は、共通ダウンリンク制御チャネルを搬送するように構成されたサブフレームのセットを、明示的シグナリングを介して複数のＵＥのうちの少なくとも１つのＵＥに指示し得る。一態様では、明示的シグナリングは、システム情報ブロック（ＳＩＢ：System Information Block）を介したシグナリングを含み得る。一態様では、明示的シグナリングは指示のための専用シグナリングを含み得る。一態様では、共通ダウンリンク制御チャネルを搬送するように構成されたサブフレームのセットが事前決定され得る。
【００８０】
[0094]いくつかの態様では、基地局は、少なくとも１つのサブフレームがＤＲＸオン持続時間中にダウンリンク制御チャネルを搬送するように、ＵＥのＤＲＸ動作に基づいて、各ＵＥのための共通ダウンリンク制御チャネルを搬送するためのサブフレームのセットを決定し得る。
【００８１】
[0095]いくつかの態様では、変更された構成のシグナリングは、少なくとも２つのダウンリンクアンカーサブフレーム中で共通ダウンリンク制御チャネルを送信することを含み得る。
【００８２】
[0096]いくつかの態様では、共通ダウンリンク制御チャネルを搬送するサブフレームの時間ロケーションは異なるセルについて異なり得る。
【００８３】
[0097]いくつかの態様では、変更された構成のシグナリングは、共通ダウンリンク制御チャネルをブラインド復号するためのいくつかの復号候補が、レガシーダウンリンク制御チャネルをブラインド復号するためのいくつかの復号候補と同じであるように、初めにレガシーダウンリンク制御チャネルの送信のために構成されたサブフレーム中で共通ダウンリンク制御チャネルを送信することを含み得る。一態様では、共通ダウンリンク制御チャネルの送信はサブフレーム中のレガシーダウンリンク制御チャネルの送信と入れ替わり得る。一態様では、共通ダウンリンク制御チャネルおよびレガシーダウンリンク制御チャネルのブラインド復号のための探索空間の開始ＣＣＥは、同じであり得る。一態様では、共通ダウンリンク制御チャネルのブラインド復号のための探索空間の開始ＣＣＥは無線リソース制御（ＲＲＣ）シグナリングを介して構成され得る。一態様では、ＲＲＣシグナリングはＵＥ固有である。一態様では、共通ダウンリンク制御チャネルのブラインド復号のための探索空間の開始ＣＣＥは、共通ダウンリンク制御チャネルに固有の無線ネットワーク一時識別子（ＲＮＴＩ）に基づいて導出され得る。
【００８４】
[0098]いくつかの態様では、基地局はさらに、サブフレーム中で同時に共通ダウンリンク制御チャネルおよびレガシーダウンリンク制御チャネルを送信し得る。一態様では、共通ダウンリンク制御チャネルのサイズとレガシーダウンリンク制御チャネルのサイズは同じであり得る。一態様では、基地局は、共通ダウンリンク制御チャネルとレガシーダウンリンク制御チャネルとを区別するためのビットを送信し得る。
【００８５】
[0099]いくつかの態様では、サブフレームのアップリンク／ダウンリンク構成は時分割複信（ＴＤＤ）アップリンクダウンリンク構成を含み得る。いくつかの態様では、共通ダウンリンク制御チャネルはＰＤＣＣＨまたはｅＰＤＣＣＨを含み得る。
【００８６】
[00100]いくつかの態様では、共通ダウンリンク制御チャネルのブラインド復号のための探索空間は、アグリゲーションレベル１、アグリゲーションレベル２、アグリゲーションレベル４、またはアグリゲーションレベル８のうちの少なくとも１つの候補を含み得る。
【００８７】
[00101]いくつかの態様では、共通ダウンリンク制御チャネルは、変更された構成がそこに適用されるべきである１つまたは複数のフレームに関する情報を含み得る。一態様では、共通ダウンリンク制御チャネルは、１つまたは複数のフレームに関する情報を搬送するための情報フィールドを含み得る。
【００８８】
[00102]いくつかの態様では、共通ダウンリンク制御チャネルは、変更された構成がその間に適用されるべき持続時間に関する情報を含み得る。一態様では、持続時間は１つまたは複数のフレーム長を含み得る。一態様では、情報は、変更された構成が持続時間の間にそこから開始して適用されるべきであるフレームの開始フレーム番号を含み得る。
【００８９】
[00103]いくつかの態様では、１つまたは複数のフレームへの変更された構成の適用は、フレーム内の共通ダウンリンク制御チャネルの送信のロケーションの関数（function）であり得る。一態様では、共通ダウンリンク制御チャネルがフレームの第１の部分中で送信される場合、変更された構成がフレームに適用され得る。一態様では、共通ダウンリンク制御チャネルがフレームの第２の部分中で送信される場合、変更された構成が後続のフレームに適用され得る。一態様では、フレームの第１および第２の部分は、それぞれフレームの前半および後半を含み得る。
【００９０】
[00104]図１３に、本開示の態様による、たとえば、ＴＤＤ  ＵＬ／ＤＬサブフレーム構成の動的指示のためのユーザ機器（ＵＥ）によって実行される例示的な動作１３００を示す。動作１３００は、１３０２において、少なくともＵＥとの通信のために使用されるサブフレームの変更されたアップリンク／ダウンリンク構成を指示する共通ダウンリンク制御チャネルを求めて、フレームの１つまたは複数のアンカーサブフレームを監視することによって開始し得る。１３０４において、ＵＥは、後続の通信において使用するサブフレームの変更されたアップリンク／ダウンリンク構成を決定するために共通ダウンリンク制御チャネルを復号する。
【００９１】
[00105]いくつかの態様では、共通ダウンリンク制御チャネルのサイズは、レガシーＬＴＥ  ＤＣＩフォーマットのために定義されたサイズと同じである。いくつかの態様では、共通ダウンリンク制御チャネルのサイズはダウンリンクシステム帯域幅に依存しないことがある。一態様では、レガシーＬＴＥ  ＤＣＩフォーマットはＤＣＩフォーマット１Ｃを含み得る。
【００９２】
[00106]いくつかの態様では、共通ダウンリンク制御チャネルのＣＲＣコードは、共通ダウンリンク制御チャネルに固有のＲＮＴＩによってスクランブルされ得る。いくつかの態様では、同じ物理セル識別情報（ＰＣＩ）のセルのために２つまたはそれ以上のＲＮＴＩ値が構成され得、ここにおいて、ＵＥは２つまたはそれ以上のＲＮＴＩ値のうちの１つのみを監視する。
【００９３】
[00107]いくつかの態様では、変更された構成の指示は、フレームの１つまたは複数のアンカーサブフレームのサブセット中のみの共通ダウンリンク制御チャネルを含み得る。
【００９４】
[00108]いくつかの態様では、変更された構成の指示は、別の後続のフレームのためのアップリンク／ダウンリンク構成を指示する、フレームの１つまたは複数のアンカーサブフレーム中の共通ダウンリンク制御チャネルを含み得る。
【００９５】
[00109]いくつかの態様では、共通ダウンリンク制御チャネルを搬送するように構成されたサブフレームのセットの明示的シグナリングを介して指示を受信し得る。一態様では、明示的シグナリングは、ＳＩＢを介したシグナリングを含み得る。一態様では、明示的シグナリングは指示のための専用シグナリングを含み得る。一態様では、共通ダウンリンク制御チャネルを搬送するように構成されたサブフレームのセットが事前決定され得る。
【００９６】
[00110]いくつかの態様では、各ＵＥのための共通ダウンリンク制御チャネルを搬送するサブフレームのセットが、少なくとも１つのサブフレームがＤＲＸオン持続時間中にダウンリンク制御チャネルを搬送するように、ＵＥのＤＲＸ動作に基づく。
【００９７】
[00111]いくつかの態様では、変更された構成の指示は、少なくとも２つのダウンリンクアンカーサブフレーム中の共通ダウンリンク制御チャネルを含み得る。
【００９８】
[00112]いくつかの態様では、共通ダウンリンク制御チャネルを搬送するサブフレームの時間ロケーションは異なるセルについて異なり得る。
【００９９】
[00113]いくつかの態様では、ＵＥは、フレーム内の共通制御チャネルの送信のロケーションの関数として変更された構成を適用するための１つまたは複数のフレームを決定し得る。一態様では、共通ダウンリンク制御チャネルがフレームの第１の部分中で送信される場合、変更された構成がフレーム自体に適用され得る。一態様では、共通ダウンリンク制御チャネルがフレームの第２の異なる部分中で送信される場合、変更された構成が後続のフレームに適用され得る。一態様では、フレームの第１および第２の部分は、それぞれフレームの前半および後半を含み得る。
【０１００】
[00114]いくつかの態様では、ＵＥは、共通ダウンリンク制御チャネル中で送信された情報に基づいて、変更された構成がその間に適用されるべき持続時間を決定し得る。
【０１０１】
[00115]いくつかの態様では、変更されたアップリンク／ダウンリンク構成の指示は、共通ダウンリンク制御チャネルをブラインド復号するための復号候補の数がレガシーダウンリンク制御チャネルをブラインド復号するための復号候補の数と同じであるように、初めにレガシーダウンリンク制御チャネルの送信のために構成されたサブフレーム中に共通ダウンリンク制御チャネルを含み得る。一態様では、共通ダウンリンク制御チャネルは、サブフレーム中のレガシーダウンリンク制御チャネルと入れ替わり得る。一態様では、共通ダウンリンク制御チャネルおよびレガシーダウンリンク制御チャネルのブラインド復号のための探索空間の開始ＣＣＥは、同じであり得る。一態様では、共通ダウンリンク制御チャネルのブラインド復号のための探索空間の開始ＣＣＥは、無線リソース制御（ＲＲＣ）シグナリングを介して構成された。一態様では、ＲＲＣシグナリングはＵＥ固有であり得る。一態様では、共通ダウンリンク制御チャネルのブラインド復号のための探索空間の開始ＣＣＥは、共通ダウンリンク制御チャネルに固有の無線ネットワーク一時識別子（ＲＮＴＩ）に基づいて導出された。一態様では、共通ダウンリンク制御チャネルおよびレガシーダウンリンク制御チャネルは、サブフレーム中で同時に受信され得る。一態様では、共通ダウンリンク制御チャネルのサイズとレガシーダウンリンク制御チャネルのサイズは同じであり得る。一態様では、構成の指示は、共通ダウンリンク制御チャネルとレガシーダウンリンク制御チャネルとを区別するためのビットを含み得る。
【０１０２】
[00116]いくつかの態様では、サブフレームのアップリンク／ダウンリンク構成は時分割複信（ＴＤＤ）アップリンクダウンリンク構成を含み得る。
【０１０３】
[00117]いくつかの態様では、共通ダウンリンク制御チャネルはＰＤＣＣＨまたはｅＰＤＣＣＨを備える。
【０１０４】
[00118]いくつかの態様では、共通ダウンリンク制御チャネルのブラインド復号のための探索空間は、アグリゲーションレベル１、アグリゲーションレベル２、アグリゲーションレベル４、またはアグリゲーションレベル８のうちの少なくとも１つの候補を含み得る。
【０１０５】
[00119]開示したプロセスにおけるステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【０１０６】
[00120]その上、「または」という用語は、排他的な「または」ではなく、包括的な「または」を意味するものとする。すなわち、別段に規定されていない限り、または文脈から明らかでない限り、たとえば、「ＸはＡまたはＢを採用する」という句は、自然包括的並べ替えのいずれかを意味するものとする。すなわち、たとえば、「ＸはＡまたはＢを採用する」という句は、ＸがＡを採用する場合、ＸがＢを採用する場合、またはＸがＡとＢの両方を採用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。項目のリスト「のうちの少なくとも１つ」を指す句は、個々のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【０１０７】
[00121]以上の説明は、当業者が本明細書で説明した様々な態様を実施できるようにするために提供したものである。これらの態様に対する様々な変更は当業者には容易に明らかであり、本明細書で定義された一般原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつか」という用語は１つまたは複数を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「ための手段」という句を使用して明示的に具陳されていない限り、ミーンズプラスファンクションとして解釈されるべきではない。
以下に、本願の出願当初の特許請求の範囲に記載された発明を付記する。
［Ｃ１］
基地局によるワイヤレス通信の方法であって、
フレーム中の１つまたは複数のアンカーサブフレームおよび１つまたは複数の非アンカーサブフレームを識別することと、
複数のユーザ機器（ＵＥ）と通信するために使用される前記フレームのアップリンク／ダウンリンク構成を動的に変更することと、
前記フレームの前記１つまたは複数のアンカーサブフレームのうちの少なくとも１つ中の前記複数のＵＥによって解釈されることが可能な共通ダウンリンク制御チャネルを使用して、前記変更された構成をシグナリングすることと、
を備える方法。
［Ｃ２］
前記共通ダウンリンク制御チャネルのサイズは、レガシーロングタームエボリューション（ＬＴＥ）ダウンリンク制御情報（ＤＣＩ）フォーマットのために定義されたサイズと同じである、Ｃ１に記載の方法。
［Ｃ３］
前記共通ダウンリンク制御チャネルのサイズがダウンリンクシステム帯域幅に依存しない、Ｃ１に記載の方法。
［Ｃ４］
前記共通ダウンリンク制御チャネルに固有の無線ネットワーク一時識別子（ＲＮＴＩ）によって前記共通ダウンリンク制御チャネルの巡回冗長検査（ＣＲＣ）コードをスクランブルすることをさらに備える、Ｃ１に記載の方法。
［Ｃ５］
同じ物理セル識別情報（ＰＣＩ）のセルのための２つまたはそれ以上のＲＮＴＩ値を構成することをさらに備え、前記複数のＵＥの各々は、前記２つまたはそれ以上のＲＮＴＩ値のうちの１つのみを監視するように指示される、Ｃ１に記載の方法。
［Ｃ６］
前記シグナリングすることは、前記フレームの前記１つまたは複数のアンカーサブフレームのサブセット中のみで前記共通ダウンリンク制御チャネルを送信することを備える、Ｃ１に記載の方法。
［Ｃ７］
前記シグナリングすることは、前記フレームの前記１つまたは複数のアンカーサブフレーム中で、別の後続のフレームのためのアップリンク／ダウンリンク構成を指示するための前記共通ダウンリンク制御チャネルを送信することを備える、Ｃ１に記載の方法。
［Ｃ８］
前記共通ダウンリンク制御チャネルを搬送するように構成されたサブフレームのセットの明示的シグナリングにより前記複数のＵＥのうちの少なくとも１つのＵＥに指示することをさらに備える、Ｃ１に記載の方法。
［Ｃ９］
各ＵＥのための前記共通ダウンリンク制御チャネルを搬送するためのサブフレームのセットを、前記ＵＥの間欠受信（ＤＲＸ）に基づき、少なくとも１つのサブフレームがＤＲＸオン持続時間中に前記ダウンリンク制御チャネルを搬送するように、決定することをさらに備える、Ｃ１に記載の方法。
［Ｃ１０］
前記シグナリングすることは、少なくとも２つのダウンリンクアンカーサブフレーム中で前記共通ダウンリンク制御チャネルを送信することを備える、Ｃ１に記載の方法。
［Ｃ１１］
前記共通ダウンリンク制御チャネルは、前記変更された構成が適用されるべき持続時間についての情報を備える、Ｃ１に記載の方法。
［Ｃ１２］
前記持続時間は１つまたは複数のフレーム長を備える、Ｃ１１に記載の方法。
［Ｃ１３］
１つまたは複数のフレームへの前記変更された構成の適用は、前記フレーム内の前記共通ダウンリンク制御チャネルの送信のロケーションの関数である、Ｃ１に記載の方法。
［Ｃ１４］
前記共通ダウンリンク制御チャネルが前記フレームの第１の部分中で送信される場合、前記変更された構成が前記フレームに適用される、Ｃ１３に記載の方法。
［Ｃ１５］
前記共通ダウンリンク制御チャネルが前記フレームの第２の部分中で送信される場合、前記変更された構成が後続のフレームに適用される、Ｃ１３に記載の方法。
［Ｃ１６］
ユーザ機器（ＵＥ）によるワイヤレス通信の方法であって、
少なくとも前記ＵＥとの通信のために使用されるサブフレームの変更されたアップリンク／ダウンリンク構成を指示する共通ダウンリンク制御チャネルを求めて、フレームの１つまたは複数のアンカーサブフレームを監視することと、
後続の通信において使用するサブフレームの前記変更されたアップリンク／ダウンリンク構成を決定するために前記共通ダウンリンク制御チャネルを復号することと、
を備える方法。
［Ｃ１７］
前記共通ダウンリンク制御チャネルのサイズは、レガシーロングタームエボリューション（ＬＴＥ）ダウンリンク制御情報（ＤＣＩ）フォーマットのために定義されたサイズと同じである、Ｃ１６に記載の方法。
［Ｃ１８］
前記共通ダウンリンク制御チャネルのサイズはダウンリンクシステム帯域幅に依存しない、Ｃ１６に記載の方法。
［Ｃ１９］
前記共通ダウンリンク制御チャネルの前記巡回冗長検査（ＣＲＣ）コードは、前記共通ダウンリンク制御チャネルに固有の無線ネットワーク一時識別子（ＲＮＴＩ）によってスクランブルされる、Ｃ１６に記載の方法。
［Ｃ２０］
前記変更されたアップリンク／ダウンリンク構成の前記指示は、前記フレームの１つまたは複数のアンカーサブフレームのサブセット中にのみ前記共通ダウンリンク制御チャネルを備える、Ｃ１６に記載の方法。
［Ｃ２１］
前記変更されたアップリンク／ダウンリンク構成の前記指示は、前記フレームの前記１つまたは複数のアンカーサブフレーム中の、別の後続のフレームのための前記アップリンク／ダウンリンク構成を指示する前記共通ダウンリンク制御チャネルを備える、Ｃ１６に記載の方法。
［Ｃ２２］
前記共通ダウンリンク制御チャネルを搬送するように構成されたサブフレームのセットの明示的シグナリングにより指示を受信することをさらに備える、Ｃ１６に記載の方法。
［Ｃ２３］
各ＵＥのための前記共通ダウンリンク制御チャネルを搬送するサブフレームのセットは、少なくとも１つのサブフレームが間欠受信（ＤＲＸ）オン持続時間中に前記ダウンリンク制御チャネルを搬送するように、前記ＵＥのＤＲＸ動作に基づく、Ｃ１６に記載の方法。
［Ｃ２４］
前記フレーム内の前記共通ダウンリンク制御チャネルの送信のロケーションの関数として前記変更された構成を適用するための１つまたは複数のフレームを決定することをさらに備える、Ｃ１６に記載の方法。
［Ｃ２５］
前記共通ダウンリンク制御チャネルが前記フレームの第１の部分中で送信される場合、前記変更された構成が前記フレームに適用される、Ｃ２４に記載の方法。
［Ｃ２６］
前記共通ダウンリンク制御チャネルが前記フレームの第２の部分中で送信される場合、前記変更された構成が後続のフレームに適用される、Ｃ２４に記載の方法。
［Ｃ２７］
前記共通ダウンリンク制御チャネルに基づいて前記変更された構成が適用されるべき持続時間を決定することをさらに備える、Ｃ１６に記載の方法。
［Ｃ２８］
前記変更されたアップリンク／ダウンリンク構成の前記指示は、少なくとも２つのダウンリンクアンカーサブフレーム中の前記共通ダウンリンク制御チャネルを備える、Ｃ１６に記載の方法。
［Ｃ２９］
基地局によるワイヤレス通信の装置であって、
フレーム中の１つまたは複数のアンカーサブフレームおよび１つまたは複数の非アンカーサブフレームを識別するための手段と、
複数のユーザ機器（ＵＥ）と通信するために使用される前記フレームのアップリンク／ダウンリンク構成を動的に変更するための手段と、
前記フレームの前記１つまたは複数のアンカーサブフレームのうちの少なくとも１つ中の前記複数のＵＥによって解釈されることが可能な共通ダウンリンク制御チャネルを使用して、前記変更された構成をシグナリングするための手段と、
を備える装置。
［Ｃ３０］
ユーザ機器（ＵＥ）によるワイヤレス通信の装置であって、
少なくとも前記ＵＥとの通信のために使用されるサブフレームの変更されたアップリンク／ダウンリンク構成を指示する共通ダウンリンク制御チャネルを求めて、フレームの１つまたは複数のアンカーサブフレームを監視するための手段と、
後続の通信において使用するサブフレームの前記変更されたアップリンク／ダウンリンク構成を決定するために前記共通ダウンリンク制御チャネルを復号するための手段と、
を備える装置。
【図１】
0006549117.tif 000002
【図２】
0006549117.tif 000003
【図３】
0006549117.tif 000004
【図４】
0006549117.tif 000005
【図５】
0006549117.tif 000006
【図６】
0006549117.tif 000007
【図７】
0006549117.tif 000008
【図８】
0006549117.tif 000009
【図９】
0006549117.tif 000010
【図１０】
0006549117.tif 000011
【図１１】
0006549117.tif 000012
【図１２】
0006549117.tif 000013
【図１３】
0006549117.tif 000014